(57)【要約】【課題】複数の曲げ部を有するフレキシブル配線板を用いた小型な光学機器を提供する。【解決手段】フレキシブル配線板１２３は、ベース部材１１３，１１６に対して固定されたベース固定部１２３Ａ、第１の可動部材１０７に対して固定された第１の可動固定部１２３Ｃ、光軸直交方向におけるベース固定部と第１の可動固定部との間において第２の可動部材１０３に対して固定された第２の可動固定部１２３Ｅと、ベース固定部と第１の可動固定部との間で物体側と像側のうち一方の側に凸の第１の曲げ部１２３Ｂおよび第１の可動固定部と第２の可動固定部との間で上記一方の側に凸の第２の曲げ部１２３Ｄを有する。第２の可動部材は、フレキシブル配線板のうち第２の可動固定部と第２の曲げ部との間の部分を支持する支持部１０３Ａを有する。第１および第２の可動部材が最も像側に位置するときに、支持部のうち最も像側の部分が第１の曲げ部の内側に位置する。【選択図】図３
2020144242.tif 000002
【特許請求の範囲】
【請求項１】
ベース部材と、
該ベース部材に対して互いに独立に光軸方向における物体側および像側に移動可能な第１の可動部材および第２の可動部材と、
前記ベース部材に対して固定された回路基板と、
前記回路基板に電気的に接続されたフレキシブル配線板とを有し、
前記フレキシブル配線板は、
前記ベース部材に対して固定されたベース固定部と、
前記第１の可動部材に対して固定された第１の可動固定部と、
前記光軸方向に直交する方向における前記ベース固定部と前記第１の可動固定部との間において、前記第２の可動部材に対して固定された第２の可動固定部と、
前記ベース固定部と前記第１の可動固定部との間において、前記物体側および前記像側のうち一方の側に凸の曲面形状を有する第１の曲げ部と、
前記第１の可動固定部と前記第２の可動固定部との間において、前記一方の側に凸の曲面形状を有する第２の曲げ部とを有し、
前記第２の可動部材は、前記フレキシブル配線板のうち前記第２の可動固定部と前記２の曲げ部との間の部分を支持する支持部を有し、
前記第１および第２の可動部材が最も像側に位置するときに、前記支持部のうち最も像側の部分が前記第１の曲げ部の内側に位置することを特徴とする光学機器。
【請求項２】
前記支持部のうち最も像側の部分は、前記第１および第２の可動部材が最も物体側に位置するときに前記第１の曲げ部の外側に位置することを特徴とする請求項１に記載の光学機器。
【請求項３】
前記第１および第２の可動部材が最も像側に位置するときに、前記第２の曲げ部は、前記第１の曲げ部の外側に位置することを特徴とする請求項１または２に記載の光学機器。
【請求項４】
前記支持部は、前記第１および第２の可動部材が最も物体側に位置するときに、前記フレキシブル配線板のうち前記第２の可動固定部から前記第２の曲げ部における曲げ開始位置までを支持することを特徴とする請求項１から３のいずれか一項に記載の光学機器。
【請求項５】
前記第２の可動固定部は、
前記第１および第２の可動部材が最も像側に位置するときに前記ベース固定部よりも像側に位置し、
前記第１および第２の可動部材が最も物体側に位置するときに前記ベース固定部よりも物体側に位置することを特徴とする請求項１から４のいずれか一項に記載の光学機器。
【請求項６】
前記第１の可動部材の最大可動量をＡとし、前記第２の可動部材の最大可動量をＢとするとき、
Ｂ＞Ａ
なる条件を満足することを特徴とする請求項１から５のいずれか一項に記載の光学機器。
【請求項７】
前記第１の可動部材の最大可動量をＡとし、前記第２の可動部材の最大可動量をＢとするとき、
Ａ／２＞（Ｂ−Ａ）／２
なる条件を満足することを特徴とする請求項１から６のいずれか一項に記載の光学機器。
【請求項８】
前記第１および第２の可動部材はそれぞれ、レンズを保持する部材であることを特徴とする請求項１から７のいずれか一項に記載の光学機器。
【請求項９】
被写体像を撮像する撮像素子を有する撮像装置に対して着脱が可能な交換レンズ装置であることを特徴とする請求項１から８のいずれか一項に記載の光学機器。
【請求項１０】
前記第１および第２の可動部材を含むレンズユニットと、
前記レンズユニットにより形成された被写体像を撮像する撮像素子とを有する撮像装置であることを特徴とする請求項１から８のいずれか一項に記載の光学機器。
【発明の詳細な説明】
【技術分野】
【０００１】
本発明は、電気回路基板と複数の可動部材とをフレキシブル配線板で接続する構成を有する交換レンズ装置や撮像装置等の光学機器に関する。
【背景技術】
【０００２】
上記のような光学機器は、フォーカスユニット、絞りユニット、像振れ補正ユニットおよびズームユニット等の各種電動ユニットが搭載されている。電動ユニットが光軸方向に移動可能である場合には、該電動ユニットとこれを制御するＣＰＵ等を実装した基板とがフレキシブルプリント配線板（以下、ＦＰＣという）により電気的に接続される。この際、ＦＰＣに少なくとも１つの曲げ部（以下、Ｕターン部）を設け、電動ユニットの移動に応じてＵターン部が移動するように構成される。これにより、電動ユニットが基板から離れた状態でもこれらをＦＰＣにより接続でき、かつ電動ユニットが基板に近づいた状態でもＦＰＣが光学機器内にてコンパクトに収納される。
【０００３】
特許文献１には、基板と電動ユニットとを接続するＦＰＣに２つのＵターン部を設けることで、電動ユニットの可動量を大きくしつつ、Ｕターン部の収納空間を小さくしたレンズ装置が開示されている。
【先行技術文献】
【特許文献】
【０００４】
【特許文献１】特開２０１６−０９９５３８号公報
【発明の概要】
【発明が解決しようとする課題】
【０００５】
しかしながら、特許文献１にて開示されたレンズ装置では、２つに分かれたＵターン部が光軸に直交する方向（径方向）にて２段に重なっているため、レンズ装置が径方向に大型化する。
【０００６】
本発明は、複数のＵターン部を有するＦＰＣを用いた小型な光学機器を提供する。
【課題を解決するための手段】
【０００７】
本発明の一側面としての光学機器は、ベース部材に対して互いに独立に物体側と像側に移動可能な第１の可動部材および第２の可動部材と、ベース部材に対して固定された回路基板に電気的に接続されたフレキシブル配線板とを有する。フレキシブル配線板は、ベース部材に対して固定されたベース固定部と、第１の可動部材に対して固定された第１の可動固定部と、光軸方向に直交する方向におけるベース固定部と第１の可動固定部との間において、第２の可動部材に対して固定された第２の可動固定部と、ベース固定部と第１の可動固定部との間において、物体側および像側のうち一方の側に凸の曲面形状を有する第１の曲げ部と、第１の可動固定部と第２の可動固定部との間において、上記一方の側に凸の曲面形状を有する第２の曲げ部とを有する。第２の可動部材は、フレキシブル配線板のうち第２の可動固定部と第２の曲げ部との間の部分を支持する支持部を有する。第１および第２の可動部材が最も像側に位置するときに、支持部のうち最も像側の部分が第１の曲げ部の内側に位置することを特徴とする。
【０００８】
なお、上記光学機器は、交換レンズやレンズ一体型撮像装置を含む。
【発明の効果】
【０００９】
本発明によれば、フレキシブル配線板が第１および第２の曲げ部を有しながらも、小型な光学機器を実現することかできる。
【図面の簡単な説明】
【００１０】
【図１】本発明の実施例１である交換レンズユニット（広角端）とカメラ本体の構成を示す断面図。
【図２】実施例１の交換レンズ（望遠端）の断面図。
【図３】図１中におけるＡ部を拡大した図。
【図４】広角端と望遠端でのＡ部を示す拡大図。
【発明を実施するための形態】
【００１１】
以下、本発明の実施例について図面を参照しながら説明する。
【実施例１】
【００１２】
図１は、本発明の実施例１である光学機器（レンズ装置）としての交換レンズユニット１００の構成を示している。図１は、広角端（ワイド端）における交換レンズユニット１００の構成と該交換レンズユニット１００が着脱可能に装着された撮像装置としてのカメラ本体２００の構成を示している。交換レンズユニット１００とカメラ本体２００により撮像（カメラ）システムが構成される。図中に一点鎖線は、交換レンズユニット１００の光軸を示し、以下の説明では、該光軸が延びる方向を光軸方向といい、光軸に直交する方向を径方向という。また図２は、望遠端（テレ端）における交換レンズユニット１００の断面を示している。
【００１３】
図１に示すように、カメラ本体２００は、ＣＣＤセンサやＣＭＯＳセンサ等の撮像素子２０１を備えている。撮像素子２０１は、交換レンズユニット１００（撮像光学系）により形成された被写体像を光電変換（撮像）する。
【００１４】
交換レンズユニット１００は、光軸方向における物体側から像側に順に、第１〜第５レンズ群Ｌ１〜Ｌ５を含む５群構成のズームレンズユニットである。第１〜第５レンズ群Ｌ１〜Ｌ５がそれぞれ互いに異なる軌跡を描くように（すなわち互いに独立に）光軸方向に移動することで変倍（ズーミング）が行われる。また、第３レンズ群Ｌ３の一部であるフォーカスレンズ群（３Ｂレンズ群）Ｌ３Ｂが光軸方向に移動することで焦点調節（フォーカシング）が行われる。オートフォーカス時には、メイン回路基板１１９に設けられた不図示のレンズＣＰＵがカメラ本体２００からのフォーカス指令に応じて３Ｂレンズ群Ｌ３Ｂの位置を制御する。またズーミング時には、レンズＣＰＵがズーミングによる像面位置の変化を補正するように３Ｂレンズ群Ｌ３Ｂの位置を制御する。
【００１５】
交換レンズユニット１００において、レンズマウント１１２は、カメラ本体２００に設けられたカメラマウント（図示せず）にバヨネット結合するためのバヨネット部を有し、固定筒１１３に対して外装筒１１４を介してビスにより固定されている。外装筒１１４は、レンズマウント１１２と固定筒１１３との間に挟み込まれて固定されている。外装筒１１４には、不図示のズーム指標や操作スイッチが取り付けられている。
【００１６】
案内筒１１６は、固定筒１１３に対してビスで固定されている。案内筒１１６には、第１〜第５レンズ群Ｌ１〜Ｌ５のそれぞれを光軸方向にガイドする第１〜第５直進溝部が形成されている。案内筒１１６の外周には、カム筒１１７が光軸回りにて回転可能に保持されている。カム筒１１７には、ズーミング時に第１〜第５レンズ群Ｌ１〜Ｌ５のそれぞれを光軸方向に移動させる第１〜第５カム溝部が形成されている。
【００１７】
第１レンズ保持枠１０１は、第１レンズ群Ｌ１を保持し、フィルタ枠１２０にビスにより固定されている。フィルタ枠１２０は、第１直進溝部および第１カム溝部に係合する第１カムフォロワを有する。フィルタ枠１２０の先端には、フィルタ等のアクセサリが装着可能である。
【００１８】
第２レンズ保持枠１０２は、第２レンズ群Ｌ２を保持し、第２直進溝部および第２カム溝部に係合する第２カムフォロワを有する。第３Ａレンズ保持枠１０３は、第３レンズ群Ｌ３を構成する３Ａ〜３ＤレンズＬ３Ａ〜Ｌ３Ｄのうち３ＡレンズＬ３Ａを保持し、第３直進溝部および第３カム溝部に係合する第３カムフォロワを有する。第３Ｂレンズ保持枠１０４は、３ＢレンズＬ３Ｂを保持し、第３Ａレンズ保持枠１０３と後述する第３Ｄレンズ保持枠１０６とにより保持された２本のガイドバーによって光軸方向にガイドされる。第３Ｂレンズ保持枠１０４は、不図示のフォーカスモータにより回転されるリードスクリューに噛み合って第３Ｂレンズ保持枠１０４を光軸方向に駆動するラックを有する。
【００１９】
第３Ｃレンズ保持枠１０５は、３ＣレンズＬ３Ｃを保持し、第３Ａレンズ保持枠１０３により３つのコロを介して保持されている。３Ｃレンズ保持枠１０５は、絞り駆動部および絞り羽根部を備えた電磁絞りユニット１１０を保持している。第３Ｄレンズ保持枠１０６は、３ＤレンズＬ３Ｄを保持し、第３Ａレンズ保持枠１０３にビスにより固定されている。第３Ｄレンズ保持枠１０６は、光量調整用のＮＤ駆動部およびＮＤ羽根部を備えたＮＤユニット１１１を保持している。
【００２０】
第４レンズ保持枠１０８は、第４レンズ群Ｌ４を保持し、振れ補正ユニット１０７の一部を構成する。振れ補正ユニット１０７は、第４レンズ保持枠１０８を径方向にシフト可能に保持し、マグネットおよびコイルを備えたシフト駆動部によって第４レンズ保持枠１０８をシフト駆動することで像振れ補正を行う。振れ補正ユニット１０７には、第４直進溝部および第４カム溝部に係合する第４カムフォロワを有する。
【００２１】
第５レンズ保持枠１０９は、第５レンズ群Ｌ５を保持し、３つの偏芯調整用コロと３つ倒れ調整用コロを介して第５レンズ移動筒１２１により保持されている。これにより、光軸に対する第５レンズ群Ｌ５の偏芯調整と倒れ調整が可能である。第５レンズ移動筒１２１は、第５直進溝部および第５カム溝部に係合する第５カムフォロワを有する。
【００２２】
ズーム操作環１１８は、これをユーザが光軸方向での定位置にて回転操作することで、不図示のズームキーを介してカム筒１１７を回転させる。これにより、ズーミングが行われる。またズーム操作環１１８には、固定筒１１３に固定された抵抗式リニアセンサ（ポテンショメータ）のセンサピンが係合するカム溝部が設けられている。ズーム操作環１１８の回転量に応じて抵抗式リニアセンサの出力が変化する。これにより、現在のズーム位置（焦点距離）を検出することができる。
【００２３】
フォーカス操作環１１５は、固定筒１１３の外周に、光軸方向において固定筒１１３の一部と化粧環１２２とにより挟持されるように設けられており、ユーザにより光軸方向定位置にて回転操作される。フォーカス操作環１１５の内周には所定ピッチで遮光部（図示せず）が設けられており、固定筒１１３には２つのフォトインタラプタ（図示せず）が設けられている。フォーカス操作環１１５が回転操作されると、遮光部が２つのフォトインタラプタに対して移動（回転）する。これにより、２つのフォトインタラプタから互いに位相が異なる２つの回転検出信号が得られ、該２つの回転検出信号からフォーカス操作環１１５の回転方向と回転量を検出することができる。
【００２４】
化粧環１２２は、フォーカス操作環１１５が固定筒１１３上から脱落することを防止するために、周方向３箇所に設けられた係合爪を固定筒１１３に係合させることで固定筒１１３に固定されている。
【００２５】
メイン回路基板１１９は、固定筒１１３にビスにより固定されており、前述したフォーカスモータ、電磁絞りユニット１１０、ＮＤユニット１１１および振れ補正ユニット１０７等の電動ユニットの駆動を制御する。
【００２６】
フレキシブル配線板としてのフレキシブルプリント配線板（ＦＰＣ）１２３は、電磁絞りユニット１１０内の絞りモータおよび絞り値位置検出素子とメイン回路基板１１９とを電気的に接続する。同様のＦＰＣが、ＮＤユニット１１１、フォーカスモータおよび振れ補正ユニット１０７とメイン回路基板１１９との間にも接続されている。メイン回路基板１１９とＦＰＣ１２３との接続はコネクタを使用して行ってもよいし、メイン回路基板１１９にＦＰＣ１２３を半田等により接合して行ってもよい。また、ＦＰＣ１２３を熱溶着によりメイン回路基板によって接続してもよい。
【００２７】
次に、図１中のＡ部を拡大して示す図３を用いて、交換レンズユニット１００内でのＦＰＣ１２３の配置について説明する。ＦＰＣ１２３の基端部は、メイン回路基板１１９から、案内筒１１６に光軸方向に延びるように固定されたベース固定部としてのＦＰＣ保持板１２４に沿って物体側に延びている。そして、ＦＰＣ１２３の一部であるベース固定部１２３Ａは、ＦＰＣ保持板１２４における最も物体側の部分に固定され、かつ像側に折り返されている。前述したように案内筒１１６は固定筒１１３に固定されており、案内筒１１６と固定筒１１３とによりベース部材が構成される。
【００２８】
本実施例では、ベース固定部１２３Ａがベース部材としての案内筒１１６にこれとは別部材として固定されたＦＰＣ保持板１２４に固定されているが、このような場合も、ベース固定部は「ベース部材に対して固定されている」ものとする。なお、ＦＰＣ保持板が案内筒に一体に形成されていてもよい。
【００２９】
ベース固定部１２３Ａで折り返されたＦＰＣ１２３は、ＦＰＣ保持板１２４に沿って像側に延びる平坦部１２３ＡＢを形成する。そして、ＦＰＣ１２３は、平坦部１２３ＡＢよりも像側に、ＦＰＣ保持板１２４と該ＦＰＣ保持板１２４の内径側に位置する第１の可動部材としての振れ補正ユニット１０７との間にて像側（光軸方向における一方）に凸の曲面形状（Ｕターン形状）を有する第１の曲げ部１２３Ｂを形成する。なお、本実施例にいう「曲げ部」は、平坦部との間を境として連続的に形状が変化している（Ｕターンするように曲がっている）部分であり、より具体的には、平坦部の終わりから次の平坦部までの間の部分である。
【００３０】
この後、ＦＰＣ１２３は、第１の曲げ部１２３Ｂから振れ補正ユニット１０７に沿って物体側に延び、振れ補正ユニット１０７における最も物体側の部分にて振れ補正ユニット１０７に固定され、かつ像側に折り返される。このＦＰＣ１２３のうち振れ補正ユニット１０７に固定された部分を、第１の可動固定部１２３Ｃとする。
【００３１】
なお、本実施例では、第１の可動固定部１２３Ｃが第１の可動部材としての振れ補正ユニット１０７に直接固定されているが、振れ補正ユニット１０７に固定された別部材に固定されている場合も、第１の可動固定部が「第１の可動部材に対して固定されている」ものとする。
【００３２】
第１の可動固定部１２３Ｃで折り返されたＦＰＣ１２３は、振れ補正ユニット１０７に沿って像側に延びる平坦部１２３ＣＤを形成する。振れ補正ユニット１０７とＦＰＣ保持板１２４との間には、光軸方向に延びるようにＦＰＣ支持部１０３Ａが設けられている。ＦＰＣ支持部１０３Ａは、第２の可動部材としての第３Ａレンズ保持枠１０３に一体に設けられている。
【００３３】
ＦＰＣ１２３は、平坦部１２３ＣＤよりも像側に、振れ補正ユニット１０７とＦＰＣ支持部１０３Ａとの間にて像側に凸の曲面形状（Ｕターン形状）を有する第２の曲げ部１２３Ｄを形成する。
【００３４】
そして、ＦＰＣ１２３は、第２の曲げ部１２３Ｄよりも物体側の部分にてＦＰＣ支持部１０３Ａに固定される。このＦＰＣ１２３のうちＦＰＣ支持部１０３Ａに固定された部分を、第２の可動固定部１２３Ｅとする。なお、本実施例では、第２の可動固定部１２３Ｅが第２の可動部材としての第３Ａレンズ保持枠１０３に一体に設けられたＦＰＣ支持部１０３Ａに固定されている。しかし、第２の可動固定部が第３Ａレンズ保持枠にこれとは別部材として固定されたＦＰＣ支持部に固定されている場合も、第２の可動固定部が「第２の可動部材に対して固定されている」ものとする。
【００３５】
この後、ＦＰＣ１２３のうち第２の可動固定部１２３Ｅよりも先端の部分は、内径側に折り曲げられて電磁絞りユニット１１０に接続される。
【００３６】
なお本実施例において、ＦＰＣ１２３の第１の可動固定部１２３Ｃと第２の可動固定部１２３Ｅはそれぞれ、両面テープによって振れ補正ユニット１０７と第３Ａレンズ保持枠１０３に固定されている。また、ベース固定部１２３Ａは、ＦＰＣ保持板１２４に取り付けたクリップ１２５で挟み込むことで固定している。ただし、ＦＰＣの固定方法は、他の方法であってもよい。
【００３７】
このように、ＦＰＣ１２３がベース固定部１２３Ａと第１の可動固定部１２３Ｃとの間に第１の曲げ部１２３Ｂを有することで、ズーミング時におけるＦＰＣ保持板１２４と振れ補正ユニット１０７との光軸方向での動きの差分が吸収される。また、ＦＰＣ１２３が第１の可動固定部１２３Ｃと第２の可動固定部１２３Ｅとの間に第２の曲げ部１２３Ｄを有することで、ズーミング時における振れ補正ユニット１０７と第３Ａレンズ保持枠１０３との光軸方向での動きの差分が吸収される。
【００３８】
図４は、図３で示した部分の広角端での状態と望遠端での状態を上下に並べて示している。本実施例では、ズーミング時における第１の可動部材である振れ補正ユニット１０７の光軸方向での最大可動量をＡとし、第２の可動部材である第３Ａレンズ保持枠１０３の最大可動量をＢとするとき、
Ｂ＞Ａ
なる条件を満足する。この条件を満足することで、ＦＰＣが曲げ部を１つしか有さない場合に比べて、省スペースで第２の可動部材の物体側への移動量（繰出し量）を確保することができる。具体的には、ズームミング時において、第１の曲げ部１２３Ｂは光軸方向にＡ／２だけ移動し、第２の曲げ部１２３Ｄは絶対座標系においてＡ＋（Ｂ−Ａ）／２だけ光軸方向に移動する。
【００３９】
また、第２の曲げ部１２３Ｄの第１の可動固定部１２３Ｃに対する移動量は（Ｂ−Ａ）／２であり、本実施例では、
Ａ／２＞（Ｂ−Ａ）／２
の条件を満足する。すなわち、移動量がより大きい第１の曲げ部１２３Ｂの曲率が第２の曲げ部１２３Ｄの曲率より大きくなるように設定している。これにより、第１の曲げ部１２３Ｂの曲げ耐久性を高くし、その第１の曲げ部１２３Ｂの光軸方向での移動量を大きくすることで、第１および第２の曲げ部１２３Ｂ，１２３Ｄのトータルの耐久性を向上させる。また、ＦＰＣが曲げ部を１つしか有さない場合と比べて、移動量を２つの曲げ部に分配することができるため、耐久性のより向上を期待することができる。特に、５群構成で１０倍以上の高倍率を有するズームレンズであって、第３レンズ群の移動量が第４レンズ群の移動量よりも大きい場合に、本実施例の構成が有効である。
【００４０】
また本実施例では、第１の曲げ部１２３Ｂと第２の曲げ部１２３Ｄを曲げる方向（凸となる方向）を光軸方向における同じ側としている。しかも、径方向において第２の可動固定部１２３Ｅがベース固定部１２３Ａと第１の可動固定部１２３Ｃとの間にてＦＰＣ保持板１２４に固定されている。すなわち、第２の曲げ部１２３Ｄが第１の曲げ部１２３Ｂに対して光軸方向視において重なるように形成されている。これにより、光軸方向視において、第１の曲げ部と第２の曲げ部とが重なっていない（径方向に２段になっている）場合に比べて、ＦＰＣ１２３の配置スペースを径方向に小さくすることができ、交換レンズユニット１００を径方向に小型化することができる。
【００４１】
また本実施例では、振れ補正ユニット１０７と第３Ａレンズ保持枠１０３とが光軸方向にて最も離れる望遠端において、第２の曲げ部１２３Ｄは、第１の曲げ部１２３Ｂより物体側（第１の曲げ部１２３Ｂの外側）に位置する。このとき、ＦＰＣ支持部１０３Ａは、ＦＰＣ１２３のうち第２の可動固定部１２３Ｅから第２の曲げ部１２３Ｄにおける曲げ開始位置までを支持する。
【００４２】
一方、振れ補正ユニット１０７と第３Ａレンズ保持枠１０３とが最も像側に位置する広角端において、ＦＰＣ支持部１０３Ａの像側の端部（最も像側の部分）が第１の曲げ部１２３Ｂの内側（図３にハッチングで示す領域）に位置する。本実施例では、この関係を実現するために、広角端において、第２の曲げ部１２３Ｄが第１の曲げ部１２３Ｂよりも像側に位置するようにしている。これにより、振れ補正ユニット１０７と第３Ａレンズ保持枠１０３とが最も離れる望遠端でも、ＦＰＣ１２３のうち第２の曲げ部１２３Ｄの曲げ開始位置から第２の可動固定部１２３ＥまでをＦＰＣ支持部１０３Ａで平坦に支持することができる。しかも、広角端での交換レンズユニット１００の光軸方向での小型化を実現することができる。
【００４３】
ただし、広角端において、第２の曲げ部１２３Ｄが第１の曲げ部１２３Ｂの内側に位置するようにしてもよい。
【００４４】
さらに本実施例では、第２の可動固定部１２３Ｅは、第３Ａレンズ保持枠１０３が最も像側に位置する広角端において、ベース固定部１２３Ａよりも像側に位置する。一方、第３Ａレンズ保持枠１０３が最も物体側に位置する望遠端において、ベース固定部１２３Ａよりも物体側に位置する。これにより、望遠側に大きな繰出し量を確保しつつ、広角端での交換レンズユニット１００の全長を短縮することができる。
【００４５】
本実施例によれば、光軸方向や径方向に大きなＦＰＣ配置空間を設けることなく、すなわち２つの曲げ部を径方向に並べたり光軸方向に離して配置したりする場合に比べて交換レンズユニット１００を小型化しつつ、第３Ａレンズ保持枠１０３の移動量を大きく確保することができる。
【００４６】
なお、本実施例では、第１および第２の曲げ部が像側に凸の曲面形状を有し、１８０°折り返されたベース固定部１２３Ａが第１の曲げ部１２３Ｂより物体側に位置するが、第１および第２の曲げ部を物体に凸の曲面形状することで、ベース固定部１２３Ａの折り返しをなくすことも可能である。
【００４７】
また、上記実施例では光学機器としての交換レンズユニットについて説明したが、光学機器は、第１および第２の可動部材を含むレンズユニット（レンズ鏡筒）と、該レンズユニットにより形成された被写体像を撮像する撮像素子とを有するレンズ一体型撮像装置であってもよい。
【００４８】
以上説明した各実施例は代表的な例にすぎず、本発明の実施に際しては、各実施例に対して種々の変形や変更が可能である。
【符号の説明】
【００４９】
１００  交換レンズユニット
１０３  第３Ａレンズ保持枠（第２の可動部材）
１０３Ａ  ＦＰＣ支持部
１０７ 振れ補正ユニット（第１可動部材）
１１０  電磁絞りユニット
１１３  固定筒
１１６  案内筒
１１９  メイン回路基板
１２３  フレキシブルプリント配線板
１２３Ａ  ベース固定部
１２３Ｂ  第１の曲げ部
１２３Ｃ  第１の可動固定部
１２３Ｄ  第２の曲げ部
１２３Ｅ  第２の可動固定部
１２４  ＦＰＣ保持板（ベース固定部）
【図１】
2020144242.tif 000003
【図２】
2020144242.tif 000004
【図３】
2020144242.tif 000005
【図４】
2020144242.tif 000006